(57)【要約】【課題】ページメモリの容量不足による動作の中断中止を未然に防ぐことのできる画像処理装置を提供する。【解決手段】搭載されているページメモリの容量を電源ＯＮ時などに検知し、当該装置の備える各機能が、このメモリ容量で実施可能か否かを判定し、実施可能な機能だけをユーザーが選択し得るように、機能の選択画面を構成して表示する。【選択図】図１
2004350076.tif 000002
【特許請求の範囲】
【請求項１】
画像データの展開されるページメモリを用いて各種の機能を実現する画像処理装置において、
実施する機能の選択を受け付ける選択受付手段と、
搭載されているページメモリの容量を検知するページメモリ容量検知手段と、
前記選択受付手段を通じて選択可能な機能を、前記ページメモリ容量検知手段によって検知されたページメモリの容量に応じて制限する機能制限手段と
を有する
ことを特徴とする画像処理装置。
【請求項２】
画像データの展開されるページメモリを用いて各種の機能を実現する画像処理装置において、
実施する機能の選択を受け付ける選択受付手段と、
搭載されているページメモリの容量を検知するページメモリ容量検知手段と、
処理対象の画像データのページサイズを認識するページサイズ認識手段と、
前記選択受付手段を通じて選択可能な機能を、前記ページメモリ容量検知手段によって検知されたページメモリの容量と前記ページサイズ認識手段が認識したページサイズとに基づいて制限する機能制限手段と
を有する
ことを特徴とする画像処理装置。
【請求項３】
前記各種の機能のうち、選択可能な機能だけをユーザーに提示する
ことを特徴とする請求項１または２に記載の画像処理装置。
【請求項４】
選択可能な機能と選択できない機能の双方を識別可能な態様でユーザーに提示する
ことを特徴とする請求項１または２に記載の画像処理装置。
【請求項５】
前記機能制限手段は、実施可能な機能を選出し、これらをユーザーが選択可能な状態に設定する
ことを特徴とする請求項１または２に記載の画像処理装置。
【請求項６】
前記機能制限手段は、実施できない機能を選出し、これらをユーザーが選択できない状態に設定する
ことを特徴とする請求項１または２に記載の画像処理装置。
【請求項７】
カラー画像を扱うものである
ことを特徴とする請求項１、２、３、４、５または６に記載の画像処理装置。
【請求項８】
原稿を次々と読み取り可能な読取手段を備え、
処理対象の画像データを前記読取手段によって取得する
ことを特徴とする請求項１、２、３、４、５、６または７に記載の画像処理装置。
【発明の詳細な説明】
【０００１】
【発明の属する技術分野】
本発明は、カラーデジタル複写機など、画像データの展開されるページメモリを用いて各種の機能を実現する画像処理装置に関する。
【０００２】
【従来の技術】
デジタル複写機などの画像処理装置では、原稿を読み取って得た画像データをページメモリに展開することで、各種の機能を実現するようになっている。たとえば、４枚の原稿を読み取り、これらを１ページにレイアウトして記録する機能や、複数の原稿画像を重ね合わせるオーバーレイ機能などの実現にはページメモリが利用される。
【０００３】
また、原稿を次々に読み取ってコピーする際に、入力される画像データを圧縮せずにページメモリに蓄積することで処理効率を向上させたデジタル複写機が以下の特許文献１に開示されている。この複写機では、原稿読取中に、ページメモリがオーバーフローすると、読取動作および画像データのページメモリへの格納動作を中断するようになっている。
【０００４】
【特許文献１】
特開昭６０−１００８７３号公報
【０００５】
【発明が解決しようとする課題】
特許文献１に開示されている複写機のように、原稿を次々に読み取って連続コピーする場合に画像データを非圧縮で複数ページ分格納するためのエリアとしてページメモリを利用するものでは、ページメモリがオーバーフローしたときに読取動作を中断させれば、コピー機能に支障を与えることがない。しかしながら、４枚の原稿を読み取ってこれらを１ページにまとめてレイアウトして記録するような機能（４ｉｎ１機能）の実現にページメモリを利用する場合には、その機能の実施途中でページメモリが不足すると、当該機能そのものを実現できなくなる。
【０００６】
特にカラーデジタル複写機は、イエロー（Ｙ）、マゼンタ（Ｍ）、シアン（Ｃ）、ブラック（Ｋ）の色毎にページメモリが必要なので、搭載されているページメモリの容量が少ない装置で上述した「４ｉｎ１機能」のような応用機能を用いたコピー動作を実施すると、メモリ不足による動作の中断・中止が発生してしまう。メモリ不足による中断中止が発生すると、読取途中の画像データが廃棄されたり、読取途中の原稿が自動原稿送り装置から排出されたりする。このため、ユーザーは、原稿を再セットした後、今度は、その機能を避けてコピー動作をやり直さなければならず、コピー作業が煩雑になって利便性に欠けるという問題があった。
【０００７】
本発明は、このような従来の技術が有する問題点に着目してなされたもので、ページメモリの容量不足による動作の中断中止を未然に防ぐことのできる画像処理装置を提供することを目的としている。
【０００８】
【課題を解決するための手段】
かかる目的を達成するための本発明の要旨とするところは、次の各項の発明に存する。
【０００９】
請求項１にかかわる発明は、画像データの展開されるページメモリ（１０４ａ）を用いて各種の機能を実現する画像処理装置において、実施する機能の選択を受け付ける選択受付手段（２２０）と、搭載されているページメモリ（１０４ａ）の容量を検知するページメモリ容量検知手段（１１１）と、前記選択受付手段（２２０）を通じて選択可能な機能を、前記ページメモリ容量検知手段（１１１）によって検知されたページメモリ（１０４ａ）の容量に応じて制限する機能制限手段（１１２）とを有することを特徴とする画像処理装置である。
【００１０】
上記発明によれば、搭載されているページメモリ（１０４ａ）の容量に応じて選択可能な機能が制限される。これにより現在のページメモリ（１０４ａ）の容量では実施し得ない機能の選択ができなくなるので、ページメモリ（１０４ａ）の不足による動作の中断中止を未然に防ぐことができる。たとえば８枚の原稿を１枚の転写紙にまとめてレイアウトしてコピーする機能（８ｉｎ１機能）と４枚の原稿を１枚の転写紙にまとめてレイアウトしてコピーする機能（４ｉｎ１機能）を有する場合に、搭載されているページメモリ（１０４ａ）の容量が少ない場合には、「４ｉｎ１機能」は実施可能であるが、「８ｉｎ１機能」は実施できない場合がある。このような場合に、ユーザーが「８ｉｎ１機能」を選択できないように制限することで、その機能の実施中にメモリ不足となって動作が中断中止することが未然に防止される。
【００１１】
請求項２にかかわる発明は、画像データの展開されるページメモリ（１０４ａ）を用いて各種の機能を実現する画像処理装置において、実施する機能の選択を受け付ける選択受付手段（２２０）と、搭載されているページメモリ（１０４ａ）の容量を検知するページメモリ容量検知手段（１１１）と、処理対象の画像データのページサイズを認識するページサイズ認識手段（２８）と、前記選択受付手段（２２０）を通じて選択可能な機能を、前記ページメモリ容量検知手段（１１１）によって検知されたページメモリ（１０４ａ）の容量と前記ページサイズ認識手段（２８）が認識したページサイズとに基づいて制限する機能制限手段（１１２）とを有することを特徴とする画像処理装置である。
【００１２】
上記発明によれば、搭載されているページメモリ（１０４ａ）の容量と処理対象となる画像のページサイズとに基づいて、選択可能な機能が制限される。たとえば、搭載されているページメモリ（１０４ａ）の容量では、「８ｉｎ１機能」をＡ４原稿については実施できないが、Ｂ５原稿ならば実施可能という場合がある。このような場合に、一律にその機能を制限せず、処理対象の画像のページサイズを考慮に入れて各機能の実施可否を判断するので、選択可能な機能の制限範囲を必要限度に抑えることができる。
【００１３】
請求項３にかかわる発明は、前記各種の機能のうち、選択可能な機能だけをユーザーに提示することを特徴とする請求項１または２に記載の画像処理装置である。
【００１４】
上記発明によれば、選択可能な機能だけがユーザーに提示される。ユーザーは、提示されたすべての機能を選択可能なので、機能の選択作業が容易になる。
【００１５】
請求項４にかかわる発明は、選択可能な機能と選択できない機能の双方を識別可能な態様でユーザーに提示することを特徴とする請求項１または２に記載の画像処理装置である。
【００１６】
上記発明によれば、選択可能な機能と選択できない機能の双方が識別可能に提示されるので、ユーザーは、メモリを増設することで、どのような機能が実施可能になるかを把握することができる。なお、当該機能の実施に必要なページメモリ（１０４ａ）の増設容量別に、選択できない機能を区別して提示してもよい。たとえば、必要な増設容量別に選択スイッチの背景色を相違させるとよい。
【００１７】
請求項５にかかわる発明は、前記機能制限手段（１１２）は、実施可能な機能を選出し、これらをユーザーが選択可能な状態に設定することを特徴とする請求項１または２に記載の画像処理装置である。
【００１８】
上記発明によれば、当該装置が有するすべての機能の中から、現在搭載されているページメモリ（１０４ａ）の容量で実施可能な機能が選出され、これらの機能だけがユーザーによって選択可能な状態に設定される。たとえば、選択可能な機能に対応する選択釦だけが操作部に表示される。
【００１９】
請求項６にかかわる発明は、前記機能制限手段（１１２）は、実施できない機能を選出し、これらをユーザーが選択できない状態に設定することを特徴とする請求項１または２に記載の画像処理装置である。
【００２０】
上記発明によれば、現在搭載されているページメモリ（１０４ａ）の容量で実施できない機能を選出し、これらの機能をユーザーが選択できない状態に設定する。たとえば、当該装置が有するすべての機能に対応する選択釦を表示しつつ、その中で実施できない機能に対応する選択釦をユーザーが操作しても反応しない、あるいは操作の拒否音が発生するような状態に設定するなどがある。
【００２１】
請求項７にかかわる発明は、カラー画像を扱うものであることを特徴とする請求項１、２、３、４、５または６に記載の画像処理装置である。
【００２２】
上記発明によれば、カラー画像を扱う場合は、色別に画像データをページメモリ（１０４ａ）に格納するので、それだけページメモリ（１０４ａ）の容量不足が発生しやすく、本発明の適用が好適である。
【００２３】
請求項８にかかわる発明は、原稿を次々と読み取り可能な読取手段を備え、処理対象の画像データを前記読取手段によって取得することを特徴とする請求項１、２、３、４、５、６または７に記載の画像処理装置である。
【００２４】
上記発明によれば、原稿を次々と読み取る作業の途中で、ページメモリ（１０４ａ）の容量不足による動作の中断中止が発生しなくなり、メモリ不足が生じた際に原稿を再セットする等の手間が省けて、利便性が向上する。
【００２５】
【発明の実施の形態】
以下、図面に基づき本発明の各種実施の形態を説明する。
図２は、本発明の実施の形態にかかわる画像処理装置１０の断面構成を示している。画像処理装置１０は、カラーデジタル複写機と称される装置である。画像処理装置１０は、自動原稿送り装置２０と、読取部３０と、プリンタ部４０とから構成される。自動原稿送り装置２０は、原稿載置トレイ２１に積載された原稿２を１枚ずつ読取部３０の読取箇所に送り込み、読み取りが済んだ原稿を排紙トレイ２７に排出する機能を果たす。また両面原稿については、片面読取後、表裏を反転して再び読取部３０へ送り込む機能を備えている。
【００２６】
自動原稿送り装置２０は、原稿載置トレイ２１に積載された原稿のサイズを検出する原稿サイズセンサ２８を有している。また原稿載置トレイ２１に積載された原稿を最上部から順に送り出す給紙ローラ２２と、原稿の読取箇所であるコンタクトガラス３１に原稿を密着させながら通過させるための密着ローラ２３と、給紙ローラ２２によって送り込まれた原稿を密着ローラ２３に沿って案内する案内ローラ２４を備えている。さらに、コンタクトガラス３１を通過した原稿の進行方向を切り替える切替爪２５と、両面原稿の表裏を反転させるための反転ローラ２６と、読み取りの完了した原稿が排出される排紙トレイ２７とを備えている。
【００２７】
読取部３０は、原稿をカラーで読み取る機能を有する。読取部３０は、光源３３とミラー３４とから成る露光走査部３５と、原稿からの反射光を受光しその光強度に応じた電気信号を色別に出力するカラー方式のラインイメージセンサ３６と、原稿からの反射光をラインイメージセンサ３６へ集光する集光レンズ３７と、露光走査部３５のミラー３４からの反射光をラインイメージセンサ３６へ導くための光学経路を形成する各種のミラー３８とを備えている。
【００２８】
自動原稿送り装置２０によって送り込まれた原稿を読み取るときは、露光走査部３５がコンタクトガラス３１の下方の読取箇所へ移動して停止し、その上を密着ローラ２３によって搬送されて移動する原稿を読み取るようになっている。プラテンガラス３２上に載置された原稿を読み取る場合には、プラテンガラス３２の下面に沿って露光走査部３５が移動して静止状態の原稿を読み取るようになっている。
【００２９】
プリンタ部４０は、タンデム型カラー画像処理装置と称されるもので、無端ベルト状の中間転写ベルト４１と、中間転写ベルト４１上にそれぞれ単一色の画像を形成する複数の像形成ユニット５０Ｙ〜５０Ｋと、転写紙を給紙する給紙手段７０と、給紙された転写紙を搬送する搬送手段８０と、定着装置４２とを備えている。また画像処理装置全体の動作を統括する主制御部１００を有している。
【００３０】
像形成ユニット５０Ｙは、イエロー（Ｙ）色の画像を中間転写ベルト４１上に形成し、像形成ユニット５０Ｍは、マゼンタ（Ｍ）色の画像を中間転写ベルト４１上に形成する。像形成ユニット５０Ｃは、シアン（Ｃ）色の画像を中間転写ベルト４１上に形成し、像形成ユニット５０Ｋは、ブラック色の画像を中間転写ベルト４１上に形成するものである。
【００３１】
像形成ユニット５０Ｙは、表面に静電潜像が形成される円筒状の静電潜像担持体としての感光体５１Ｙと、その周囲に配置された帯電装置５２Ｙと、現像装置５３Ｙと、クリーニング装置５４Ｙとを有する。またレーザーダイオードと、ポリゴンミラーと、各種レンズおよびミラー等で構成されたレーザーユニット５５Ｙとを備えている。
【００３２】
感光体５１Ｙは、図示省略の駆動部に駆動されて一定方向（図中の矢印Ａ方向）に回転し、帯電装置５２Ｙは、感光体５１Ｙを一様に帯電させる。レーザーユニット５５Ｙは、一様に帯電された感光体５１Ｙの表面を、イエロー色の画像データに応じてＯＮ／ＯＦＦするレーザー光で走査することにより、感光体５１Ｙ上に静電潜像を形成する。現像装置５０Ｙは、感光体５１Ｙの静電潜像をイエロー色のトナーによって顕像化する。感光体５１Ｙの表面に形成されたトナー像は、中間転写ベルト４１に、これと接触する箇所で転写される。クリーニング装置５４Ｙは、転写後に感光体５１Ｙの表面に残留するトナーをブレード等で擦って除去し回収する機能を果たす。
【００３３】
像形成ユニット５０Ｍおよび像形成ユニット５０Ｃ、像形成ユニット５０Ｋは、トナーの色が相違することと、それぞれの色に対応する画像データでレーザー光がＯＮ／ＯＦＦされる点を除いて像形成ユニット５０Ｙと同一の構成であり、個々の説明は省略する。なお、同じ構成要素には数字が同一であって添え字をＹに代えてＭ、Ｃ、Ｋとした符号を付してある。
【００３４】
中間転写ベルト４１は複数のローラを巻回して回動可能に支持されている。中間転写ベルト４１は、図示省略の駆動手段により矢印Ｂの示す方向に周回する。周回する過程で、中間転写ベルト４１上に（Ｙ）、（Ｍ）、（Ｃ）、（Ｋ）の順に各色の画像が像形成ユニット５０Ｙ〜５０Ｋによって重ねて形成されてカラー画像が合成される。このカラー画像は、中間転写ベルト４１の周回経路の下端部に設けた二次転写箇所Ｃで中間転写ベルト４１から転写紙に転写される。転写後の中間転写ベルト４１上に残留しているトナーはクリーニング装置４４により除去される。
【００３５】
給紙手段７０は、複数の給紙カセット７１を有し、通常、サイズや紙種の異なる転写紙が収容される。各給紙カセット７１に収容された転写紙は、最上部から１枚ずつ第１給紙ローラ７２によって搬送手段８０に向けて送り出される。搬送手段８０は、給紙カセット７１からの転写紙を二次転写箇所Ｃおよび定着装置４２を通過させて機外の排紙トレイに排出する通常経路８０ａと、定着装置４２を通った転写紙の表示を反転させた後、二次転写箇所Ｃの上流で再び通常経路８０ａへ合流させる反転経路８０ｂから構成される。各経路８０ａ、８０ｂは、最小サイズの転写紙の送り方向サイズより短い間隔で多数の搬送ローラ８１を有している。
【００３６】
図３は、カラーデジタル複写機である画像処理装置１０の電気的構成を示すブロック図である。自動原稿送り装置２０は、図示省略された駆動部の制御等を行なうＡＤＦ制御部２００を有する。読取部３０は、ラインイメージセンサ３６と、スキャナ制御部２１０とを備えている。スキャナ制御部２１０は、光源３３の点灯制御や露光走査部３５の移動制御などを行なう。操作表示部２２０は、ユーザーによる各種の操作を受け付けたり、ユーザーに向けて各種の情報を表示したりする機能を果たす。操作表示部２２０は、液晶ディスプレイからなる表示部２２１と、その画面上に敷設されたタッチスイッチおよびその他のスイッチから成る操作部２２２と、表示部２２１および操作部２２２の動作を制御する操作制御部２２３とを有している。操作表示部２２０は、選択受付手段としての機能を果たす。
【００３７】
プリンタ部４０は、各色のレーザーユニット５５Ｙ〜５５Ｋと、プリンタ制御部２３０を備えている。プリンタ制御部２３０は、各像形成ユニット５０Ｙ〜５０Ｋの制御、中間転写ベルトの回転制御のほか定着装置４２、給紙手段７０、搬送手段８０等の動作を制御する機能を備えている。操作表示部２２０、スキャナ制御部２１０、操作表示部２２０、プリンタ制御部２３０はそれぞれＣＰＵおよびＲＯＭ、ＲＡＭを主要部とする回路で構成され、ＲＯＭに格納されたプログラムに従って各種の制御が実行される。
【００３８】
主制御部１００は、画像処理装置１０の動作を統括制御する機能を果たす。主制御部１００は、読取処理部１０１と、画像処理部１０２と、圧縮伸張部１０３と、画像メモリ１０４と、書込処理部１０５と、画像制御ＣＰＵ１１０と、プログラムメモリ１０６と、システムメモリ１０７と、不揮発性メモリ１０８と、Ｉ／Ｏポート１０９とを備えている。
【００３９】
読取処理部１０１は、読取部３０の出力する画像データに対して拡大処理、鏡像処理、誤差拡散による２値化処理などを施す機能を果たす。圧縮伸張部１０３は、２値化された画像データを圧縮したり、圧縮されたものを伸張したりする機能を果たす。圧縮伸張部１０３は圧縮処理と伸張処理を独立かつ並行に実行できる。画像メモリ１０４は、非圧縮の画像データを格納するためのページメモリ１０４ａと、圧縮された画像データを格納する圧縮メモリ１０４ｂとから構成されている。ページメモリ１０４ａは標準で１２８Ｍバイト搭載されており、６４Ｍバイトや１２８Ｍバイト単位に増設が可能になっている。
【００４０】
書込処理部１０５は、画像メモリ１０４から読み出して伸張された画像データをプリンタ部４０の動作に応じたタイミングでレーザーユニット５５Ｙ〜５５Ｋへ送出する機能を果たす。画像処理部１０２は、ダイナミックＲＡＭからなる画像メモリ１０４へのリード・ライトおよびリフレッシュのタイミング制御や、画像データを圧縮して画像メモリ１０４に格納したり画像メモリ１０４から圧縮データを読み出して伸張したりする際のタイミング制御などを行なう。
【００４１】
また画像処理部１０２は、ページメモリ１０４ａを用いて画像処理することにより各種の応用機能を実現する。たとえば、「８ｉｎ１機能」、「４ｉｎ１機能」、「オーバーレイ機能」、「スタンプ機能」などを実現する。「８ｉｎ１機能」は１枚の転写紙を８つの領域に分割し、各領域に８枚の原稿を読み取って得た画像をそれぞれ縮小しレイアウトして印刷する機能である。「４ｉｎ１機能」は、１枚の転写紙を４つの領域に分割し、各領域に４枚の原稿を読み取って得た画像をそれぞれ縮小しレイアウトして印刷する機能である。「オーバーレイ機能」は、２枚の原稿を読み取って得た画像同士を重ね合わせて１枚の画像に合成する機能である。「スタンプ機能」は、原稿を読み取って得た画像に、予め保存しておいた画像データや日付印に相当する画像データを重ね合わせて合成する機能である。
【００４２】
通常のカラーコピー動作は、標準で搭載されている１２８Ｍバイトのページメモリで実施可能になっている。「オーバーレイ機能」や「スタンプ機能」を実現するには、ページメモリを○○Ｍバイト増設する必要があり、「４ｉｎ１機能」や「８ｉｎ１機能」を実現するにはさらに○○Ｍバイトの増設を要する。
【００４３】
画像制御ＣＰＵ１１０は、画像処理装置１０の動作全体を制御する機能のほか、搭載されているページメモリ１０４ａの容量を検知するページメモリ容量検知手段１１１としての機能を果たす。さらにページメモリ１０４ａの容量に応じてユーザーが選択可能な機能を制限する機能制限手段１１２としての機能を果たす。プログラムメモリ１０６は、画像制御ＣＰＵ１１０が実行するプログラムを記憶したメモリであり、システムメモリ１０７は、プログラムの実行中に各種データを一時的に記憶するためのワークメモリである。不揮発性メモリ１０８は、電源ＯＦＦ後も記憶しておくべきユーザーデータやシステムデータを記憶するメモリである。
【００４４】
ページメモリ容量検知手段１１１は、電源オン時の立ち上げ処理で、ページメモリ１０４ａが搭載される予定のアドレス空間の各所に所定のデータを書き込んだ後に読み出してこれらを照合する処理を実施し、搭載されているページメモリ１０４ａの容量を検知するようになっている。
【００４５】
画像処理装置１０は、原稿を読取部３０で読み取って得た画像データを圧縮して圧縮メモリ１０４ｂに格納する読取動作と、少なくとも１ページ分の格納が完了してから画像データを読み出し伸張して出力画像を形成する出力動作を組み合わせることで通常のコピー機能を実現している。また「オーバーレイ機能」や「４ｉｎ１機能」などの応用機能を用いたコピーを行なう場合には、非圧縮の画像データを展開して処理するためのエリアとしてページメモリ１０４ａを利用するようになっている。
【００４６】
図４は、応用機能選択画面３００の一例を示している。図示省略の操作画面において応用機能の選択釦を操作すると応用機能選択画面３００が表示される。図４は、ページメモリ１０４ａの容量が充分あってすべての機能１〜機能９にかかわる選択釦３０１〜３０９が選択可能に表示された状態を示している。
【００４７】
図１は、搭載されているページメモリ１０４ａの容量によってユーザーが選択可能な機能を制限する動作の流れを示している。画像処理装置１０の電源ＯＮ時の立ち上げ処理において、先に説明した方法により、現在搭載されているページメモリ１０４ａの容量を検知して認識する（ステップＳ４０１）。検知されたページメモリ１０４ａの容量で各機能が実施可能か否かを判定する（ステップＳ４０２〜Ｓ４０４）。
【００４８】
たとえば、機能とその実施に必要なページメモリの容量とを対応付けた判定テーブルを予め記憶しておき、検知された容量でこの判定テーブルを参照することにより、各機能が実施可能か否かを判定する。この判定の結果、実施可能とされた機能にかかわる選択釦のみが表示されるように応用機能選択画面の画面データを作成し（ステップＳ４０５）、これを表示する（ステップＳ４０６）。
【００４９】
図５は、現在搭載されているページメモリ１０４ａの容量で実施可能な機能にかかわる選択釦のみが表示された応用機能選択画面３１０の一例を示している。ユーザーは、表示されている機能１〜機能５にかかわる選択釦３０１〜３０５のいずれも操作できる。実施できない機能にかかわる選択釦３０６〜３０９は表示されず、ユーザーはこれらを選択できない。
【００５０】
このように、搭載されているページメモリ１０４ａの容量を認識し、その容量で実施できない機能をユーザーが選択し得ないようにしたので、それらの機能の実施中にページメモリ１０４ａが不足して動作が中断中止されることを未然に防止することができる。これにより、ページメモリの容量不足により中断中止されて排紙された原稿を再び原稿載置トレイ２１にセットし、今回の中断原因となった機能を選択しないようにしてコピー動作をもう一度やり直すというようなことが発生せず、画像処理装置１０の操作性・利便性が向上する。また実施可能な機能にかかわる選択釦だけが表示されるので、ユーザー自身で選択の可否を判断する必要がなく、機能の選択作業が容易になる。
【００５１】
次に、本発明の第２の実施の形態について説明する。第１の実施の形態では、搭載されているページメモリ１０４ａの容量で実施可能な機能を選出したが、第２の実施の形態では、実施できない機能を選出する。
【００５２】
図６は、第２の実施の形態にかかわる画像処理装置が、搭載されているページメモリ１０４ａの容量によって機能を制限する際の動作の流れを示している。画像処理装置１０の電源ＯＮ時の立ち上げ処理において、現在搭載されているページメモリ１０４ａの容量を検知して認識する（ステップＳ５０１）。そして、検知されたページメモリ１０４ａの容量で各機能が実施可能か否かを判定する（ステップＳ５０２〜Ｓ５０４）。
【００５３】
この判定結果に基づき、実施できない機能にかかわる選択釦がユーザーによって選択し得ないように表示される応用機能選択画面の画面データを作成し（ステップＳ５０５）、これを表示する（ステップＳ５０６）。
【００５４】
図７は、現在搭載されているページメモリ１０４ａの容量で実施できない機能にかかわる選択釦をユーザーが選択し得ないように表示した応用機能選択画面３２０の一例を示している。応用機能選択画面３２０には、実施可能な機能１〜機能５にかかわる選択釦３０１〜３０５と、実施できない機能６〜機能９にかかわる選択釦３０６〜３０９の双方が異なる態様で表示されている。ここでは、実施可能な選択釦３０１〜３０５の背景を白色とし、実施できない機能にかかわる選択釦３０６〜３０９の背景に格子模様を表示してある。実施できない機能にかかわる選択釦３０６〜３０９は、表示されているがこれらを操作してその機能を選択することはできなくなっている。
【００５５】
このように、選択可能な機能と選択できない機能の双方にかかわる選択釦が異なる態様で識別可能に表示されるので、ユーザーは、メモリを増設することで、どのような機能が実施可能になるかを把握しながら、機能を選択することができる。
【００５６】
次に本発明の第３の実施の形態について説明する。第３の実施の形態では、搭載されているページメモリ１０４ａの容量と原稿載置トレイ２１にセットされた原稿サイズの双方を基準に各機能の実施可否を判定するようになっている。たとえば、搭載されているページメモリ１０４ａの容量によっては、「８ｉｎ１機能」をＡ４サイズの原稿では実施できないが、Ｂ５サイズの原稿ならば実施可能な場合がある。第３の実施の形態では、このような場合を考慮して、機能の実施可否をより細かく判定するようになっている。
【００５７】
図８は、第３の実施の形態において機能を制限する際の動作の流れを示している。まず搭載されたページメモリ１０４ａの容量を検知して認識する（ステップＳ６０１）。その後、原稿が原稿載置トレイ２１にセットされると（ステップＳ６０２；Ｙ）、原稿サイズセンサ２８によりその原稿サイズを取得する（ステップＳ６０３）。この原稿サイズと先に検知したページメモリ１０４ａの容量とから各機能の実施可否を判定する。たとえば、機能別、原稿サイズ別に、必要なページメモリ容量を対応付けた判定テーブルを用意し、これを参照することで判定を行なうとよい。
【００５８】
上記判定により実施可能な機能を抽出し（ステップＳ６０４）、これらの機能にかかわる選択釦だけが表示される応用機能選択画面の画面データを作成して（ステップＳ６０５）、これを表示する。なお、図７に示すように実施可能な機能と実施できない機能の双方を異なる態様で識別可能に表示してもよい。
【００５９】
以上、本発明の各種実施形態を図面によって説明してきたが、具体的な構成はこれら実施の形態に限られるものではなく、本発明の要旨を逸脱しない範囲における変更や追加があっても本発明に含まれる。例えば、実施の形態では、カラーデジタル複写機を例に説明したが、これに限定されず、ページメモリを用いて各種機能を実現する画像処理装置であればよい。たとえば、「オーバーレイ機能」や「スタンプ機能」を備えたプリンタ装置等であってもよい。
【００６０】
また、各機能の実施可否を、たとえば、カラーモードか否かを要素に入れて判断してもよい。このほか、実施できない機能にかかわる選択釦をユーザーが操作した際に、メモリ不足の為に当該機能を実施できない旨の警告メッセージを表示したり、警告音を流したりしてもよい。
【００６１】
【発明の効果】
本発明にかかる画像処理装置によれば、搭載されているページメモリの容量を検知し、その容量に応じてユーザーが選択可能な機能を制限するので、ある機能の実施中にページメモリが不足して動作が中断中止する事態の発生を未然に防ぐことができる。
【００６２】
搭載されているページメモリの容量と処理対象となる画像のページサイズとに基づいて、選択可能な機能を制限するものでは、メモリ容量だけで一律に機能を制限する場合に比べて、機能の制限を必要最小限に抑えることができる。
【００６３】
選択可能な機能だけをユーザーに提示するものでは、ユーザーは、提示されたいずれの機能も選択可能なので、機能の選択作業が容易になる。一方、選択可能な機能と選択できない機能の双方を識別可能に提示するものでは、ユーザーは、メモリを増設することで、どのような機能が実施可能になるかを把握しつつ、実施可能な機能を選択することができる。
【図面の簡単な説明】
【図１】本発明の第１の実施の形態に係る画像処理装置が、搭載されているページメモリの容量に応じて機能を制限する際の動作を示す流れ図である。
【図２】本発明の実施の形態にかかわる画像処理装置としてのカラーデジタル複写機の断面を示す説明図である。
【図３】本発明の実施の形態にかかわる画像処理装置としてのカラーデジタル複写機の回路構成の概要を示すブロック図である。
【図４】本発明の実施の形態にかかわる画像処理装置の操作表示部に表示される応用機能選択画面であってすべての機能が選択可能な状態の一例を示す説明図である。
【図５】実施可能な機能にかかわる選択釦のみを表示した応用機能選択画面の一例を示す説明図である。
【図６】本発明の第２の実施の形態に係る画像処理装置が、搭載されているページメモリの容量に応じて機能を制限する際の動作を示す流れ図である。
【図７】実施可能な機能にかかわる選択釦と実施できない機能にかかわる選択釦を識別可能に表示した応用機能選択画面の一例を示す説明図である。
【図８】本発明の第３の実施の形態に係る画像処理装置が、搭載されているページメモリの容量とセットされた原稿サイズに応じて機能を制限する際の動作を示す流れ図である。
【符号の説明】
１０…画像処理装置
２０…自動原稿送り装置
２１…原稿載置トレイ
２２…給紙ローラ
２３…密着ローラ
２４…案内ローラ
２５…切替爪
２６…反転ローラ
２７…排紙トレイ
２８…原稿サイズセンサ
３０…読取部
３１…コンタクトガラス
３２…プラテンガラス
３３…光源
３４…ミラー
３５…露光走査部
３６…ラインイメージセンサ
３７…集光レンズ
３８…ミラー
４０…プリンタ部
４１…中間転写ベルト
４２…定着装置
４４…クリーニング装置
５０Ｙ〜５０Ｋ…像形成ユニット
５１Ｙ〜５１Ｋ…感光体
５２Ｙ〜５２Ｋ…帯電装置
５３Ｙ〜５３Ｋ…現像装置
５４Ｙ〜５４Ｋ…クリーニング装置
５５Ｙ〜５５Ｋ…レーザーユニット
７０…給紙手段
７１…給紙カセット
７２…第１給紙ローラ
８０…搬送手段
８０ａ…通常経路
８０ｂ…反転経路
８１…搬送ローラ
１００…主制御部
１０１…読取処理部
１０２…画像処理部
１０３…圧縮伸張部
１０４…画像メモリ
１０４ａ…ページメモリ
１０４ｂ…圧縮メモリ
１０５…書込処理部
１０６…プログラムメモリ
１０７…システムメモリ
１０８…不揮発性メモリ
１０９…Ｉ／Ｏポート
１１０…画像制御ＣＰＵ
１１１…ページメモリ容量検知手段
１１２…機能制限手段
２００…ＡＤＦ制御部
２１０…スキャナ制御部
２２０…操作表示部
２２１…表示部
２２２…操作部
２２３…操作制御部
２３０…プリンタ制御部
３００、３１０、３２０…応用機能選択画面
３０１〜３０９…選択釦
【図１】
2004350076.tif 000003
【図２】
2004350076.tif 000004
【図３】
2004350076.tif 000005
【図４】
2004350076.tif 000006
【図５】
2004350076.tif 000007
【図６】
2004350076.tif 000008
【図７】
2004350076.tif 000009
【図８】
2004350076.tif 000010